(57)【要約】【課題】青果物を保存して、陳列時の見栄えが優れており、輸送時に効率良く輸送できる包装袋及びその袋を用いた包装体を提供することにある。更には、萎れ、変色、軟腐、異臭などが発生せず、青果物の鮮度をより長く保持できる包装袋及びその袋を用いた包装体を提供することにある。【解決手段】青果物を収納する包装袋であって、該包装袋は四角の形状から隣り合う２つの角において、それぞれの角を切除した形状である青果物用包装袋であり、又は青果物を収納する包装袋であって、該包装袋は四角の形状から１つの角において、角を切除した形状である青果物用包装袋である。【選択図】  図１
2004269034.tif 000002
【特許請求の範囲】
【請求項１】
青果物を収納する包装袋であって、該包装袋は、四角の形状から隣り合う２つの角について、それらの角を切除した形状であることを特徴とする青果物用包装袋。
【請求項２】
青果物を収納する包装袋であって、該包装袋は、四角の形状から１つの角について、その角を切除した形状であることを特徴とする青果物用包装袋。
【請求項３】
切除された角の面積の合計が包装袋の全表面積の２〜３０％である請求項１又は２に記載の青果物用包装袋。
【請求項４】
切除された部分の形状が曲線又は／及び直線で構成されている請求項１又は２に記載の青果物用包装袋。
【請求項５】
青果物を収納後、開口部を閉じ、１２時間後の酸素濃度が３〜１５％である請求項１又は２に記載の青果物用包装袋。
【請求項６】
青果物を収納後、開口部を閉じ、４８時間後の酸素濃度が３〜１５％である請求項１又は２に記載の青果物用包装袋。
【請求項７】
開孔面積６．５×１０−１０〜３．０×１０−５ｍ２の未貫通のキズ、貫通孔を少なくとも１つ以上含まれる請求項１又は２に記載の青果物用包装袋。
【請求項８】
包装袋に収納された青果物の重量減少が１日当り２％以下である請求項１又は２に記載の青果物用包装袋。
【請求項９】
青果物１００ｇ当たりの包装袋の酸素透過量が６００〜８０００ｃｃ／ｄａｙ・ａｔｍである請求項１又は２に記載の青果物用包装袋。
【請求項１０】
青果物を収納した包装袋の空隙が、角を削除する前の四角い袋の空隙より２０％〜７０％少ない請求項１又は２に記載の青果物用包装袋。
【請求項１１】
包装袋の素材が、ポリプロピレン、ポリスチレン、ポリエチレンテレフタレート、ナイロン、セロハン、ポリ乳酸の単層もしくはこれらとポリエチレンまたはエチレンー酢酸ビニル共重合体との多層フィルム、またはポリエチレンの単層フィルムのいずれかである請求項１又は２に記載の青果物用包装袋。
【請求項１２】
青果物が、ブロッコリー又はカリフラワーである請求項１又は２に記載の青果物用包装袋。
【請求項１３】
請求項１から請求項１１のいずれかに記載の青果物用包装袋に青果物を入れ、開口部を閉じたことを特徴とする青果物包装体。
【請求項１４】
開口部をシール又は／及びかしめにより閉じる請求項１３に記載の青果物包装体。
【請求項１５】
青果物の頭頂部が開口部と反対側になるようにして青果物が収納された請求項１３に記載の青果物包装体。
【請求項１６】
青果物が、ブロッコリー又はカリフラワーである請求項１３に記載の青果物包装体。
【発明の詳細な説明】
【０００１】
【発明の属する技術分野】
本発明は、包装体の見栄えも良く、酸素濃度を早く低下させ青果物の鮮度も良好に保つ包装袋及び包装体に関するものである。
【０００２】
【従来の技術】
近年青果物の販売においては裸で売るよりもフィルム包装されて売られる場合が多くなりつつある。単に包むだけでなく密封包装し、ＭＡ（ＭｏｄｉｆｉｅｄＡｔｏｍｏｓｐｈｅｒｅ）効果を有する青果物鮮度保持資材が開発され、萎れ、変色、腐敗、異臭による鮮度低下を防止できるため主に流通用に使用されている。青果物の包装体には鮮度保持という機能だけでなく、見栄えの良い機能も要望されている。近年ＭＡ（Ｍｏｄｉｆｉｅｄ  Ａｔｏｍｏｓｐｈｅｒｅ）効果を有する青果物鮮度保持資材が開発され、主に流通用に使用されている。青果物は収穫後も呼吸を続けており、大気（酸素約２１％、二酸化炭素約０．０４％）よりも酸素濃度が低く、二酸化炭素濃度が高い環境に置くと呼吸が抑制され鮮度保持が可能であることが知られている。
【０００３】
しかし、包装体内が過度に低酸素、高二酸化炭素の環境になると、青果物が呼吸障害を起こして異臭を発生するなど劣化を促進することになってしまい、逆に高酸素、低二酸化炭素になると葉が黄化し、十分な鮮度保持効果が得られない。すなわち包装内を適切な酸素濃度、二酸化炭素濃度にコントロールすることがきわめて重要になる。ブロッコリーなどを四角い袋でパック・陳列すると空気を含んでいるため膨らんで見栄えが悪くなるばかりか、呼吸を抑制する低酸素に達するまでに時間がかかり、鮮度保持日数が影響する。
【０００４】
特開平８−４８３８２号公報では、生鮮植物の個別包装体として記載されているが、袋は三方袋即ち四角い袋か風呂敷の様なフィルムを包装に用いており、特開平５−３１６９４２号公報では、ブロッコリーの鮮度保持方法として記載されているが、袋の形状は四角い袋として記述されているのみである。
【０００５】
【特許文献１】
特開平８−４８３８２号公報
【特許文献２】
特開平５−３１６９４２号公報
【０００６】
【発明が解決しようとする課題】
青果物を保存して、陳列時の見栄えが優れており、輸送時に効率良く輸送できる包装袋及びその袋を用いた包装体を提供することにある。更には、萎れ、変色、軟腐、異臭などが発生せず、青果物の鮮度をより長く保持できる包装袋及びその袋を用いた包装体を提供することにある。
【０００７】
【課題を解決するための手段】
本発明は、青果物を収納する包装袋であって、該包装袋は四角の形状から隣り合う２つの角において、それぞれの角を切除した形状である青果物用包装袋であり、又は青果物を収納する包装袋であって、該包装袋は四角の形状から１つの角において、角を切除した形状である青果物用包装袋である。
【０００８】
更に好ましい形態としては、切除された角の面積の合計が包装袋の全表面積の２〜３０％であり、切除された部分の形状が曲線又は／及び直線で構成されており、青果物を収納後、開口部を閉じ、１２時間後の酸素濃度が３〜１５％であり、青果物を収納後、開口部を閉じ、４８時間後の酸素濃度が３〜１５％であり、開孔面積６．５×１０−１０〜３．０×１０−５ｍ２の未貫通のキズ、貫通孔を少なくとも１つ以上含み、包装袋に収納された青果物の重量減少が１日当り２％以下であり、青果物１００ｇ当たりの包装袋の酸素透過量が６００〜８０００ｃｃ／ｄａｙ・ａｔｍであり、青果物を収納した包装袋の空隙が、角を削除する前の四角い袋の空隙より２０％〜７０％少なく、包装袋の素材が、ポリプロピレン、ポリスチレン、ポリエチレンテレフタレート、ナイロン、セロハン、ポリ乳酸の単層もしくはこれらとポリエチレンまたはエチレンー酢酸ビニル共重合体との多層フィルム、またはポリエチレンの単層フィルムのいずれかであり、青果物が、ブロッコリー又はカリフラワーである青果物用包装袋である。
【０００９】
また、前述の青果物用包装袋に青果物を入れ、開口部を閉じた青果物包装体であり、好ましい形態としては、開口部をシール又は／及びかしめにより閉じ、青果物の頭頂部が開口部と反対側になるようにして青果物が収納され、青果物が、ブロッコリー又はカリフラワーである青果物包装体である。
【００１０】
【発明の実施の形態】
本発明の包装袋は、青果物を収納する包装袋であり、その包装袋の形状は、袋を平面板上に平袋の状態で静置した場合、四角の形状から隣り合う２つの角において、それぞれの角を切除した形状である、又は、四角の形状から１つの角において、角を切除した形状であることが、袋の角がないため陳列時の見栄えも格段に改善され、青果物をパックした際の空隙いわゆるヘッドスペースが少なくなるため１つのダンボール箱に多数のパックを収納でき、更にＭＡ包装用の包装袋を用いた場合、青果物を包装袋に収納後短時間で鮮度保持に最適な酸素濃度に達することができ鮮度保持により効果があることを見出した。２つの角を切除した包装袋、１つの角を切除した包装袋とも本発明の効果を有するが、陳列時の見栄えの点からは２つの角を切除した包装袋の方がより好ましい。包装袋に青果物を収納する開口部とは反対側の角を切除する方が作業性の点より好ましいが、その他の角を切除しても何ら問題はない。
【００１１】
切除された部分の形状は、曲線又は／及び直線で構成されていることが好ましく、外側へ張り出すような形状が青果物の収納の点より好ましい。削除された角の面積の合計は包装袋の全表面積の２％〜３０％であることが好ましく、１０％〜２０％がより好ましい。切除された角の面積の合計が包装袋の全表面積の２％未満では、ヘッドスペースも多く、見栄えが悪いし、３０％を超えて切除すると逆に小さくなりすぎ包装しにくくなる。なお、削除された角の面積及び包装袋の全表面積とも袋の両面の面積の合計である。
【００１２】
包装体の全表面積は青果物のサイズにより異なるが、例えばブロッコリー、カリフラワーなどの場合、１個の重量が３００〜６００ｇになることがあり、全表面積は８００〜２４００ｃｍ２が好ましい。８００ｃｍ２未満では、包装するには小さすぎる可能性があり、２４００ｃｍ２超えると袋が大き過ぎ、返って見栄えも悪くなるばかりか、包装コストも高くなる可能性がある。
【００１３】
包装袋には、開孔面積６．５×１０−１０〜３．０×１０−５ｍ２の未貫通のキズ、貫通孔を少なくとも１つ以上含まれる方が好ましい。６．５×１０−１０ｍ２未満では加工やガス調整が難しく、３．０×１０−５ｍ２超えるとガス透過量が多すぎ調整が難しくなる可能性がある。また形状は、特に制限されず、フィルムを部分的に薄くする為のキズや円、長円、角など各種計上の穴でも良い。穴加工の方法は、例えばレーザー、熱針などを用いて穴をあけることができ、その方法は特に限定されず、公知の方法を用いることが出来る。
【００１４】
包装袋の酸素透過量は１００ｇ当り６００〜８０００ｃｃ／ｄａｙ・ａｔｍが良い。６００ｃｃ未満では酸素が不足し、青果物が嫌気呼吸を起こし異臭を発生する可能性がある。８０００ｃｃを超えると包装体内の酸素濃度が増えて酸素過多となり青果物が劣化し黄化の原因となる可能性がある。
【００１５】
包装袋内の酸素濃度は、１２時間経過後３〜１５％であることが好ましく、更に引き続いて４８時間以上保存される場合には、４８時間後の酸素濃度も３〜１５％であることが好ましい。
【００１６】
本発明の包装袋に収納された青果物の重量減少が１日当り２％以下であることが好ましい。青果物の重量減少が１日当り２％を超えると萎れという問題が起こる可能性がある。
【００１７】
青果物を本発明の包装袋に収納した状態において、青果物を除いた包装袋内の空隙が、角を切除していない四角い包装袋に青果物を収納した状態における青果物を除いた包装袋内の空隙と比較して、２０〜７０％の範囲で減少している方が好ましい。２０％未満では鮮度保持に必要な低酸素濃度に達するのが遅くなり鮮度保持日数が短くなる可能性があり、７０％を超えるとフィルムと青果物が脱気されたように密着し、フィルムの未貫通のキズや穴を塞ぎ嫌気呼吸を引き起こす可能性や、フィルムに付着した水滴と接触することで変色する可能性がある。
通常の四角い袋では、ヘッドスペースが多い為、酸素濃度が平衡状態になるのが、例えば、２４時間から４８時間であったものが、本発明ではヘッドスペースが少ない為１２時間でこの濃度範囲に達するため早く呼吸抑制できるようになる。また呼吸に応じた酸素が供給される為４８時間後でもこの濃度範囲にあることが、鮮度保持日数を長くする為にも好ましい。
【００１８】
包装袋の素材は、ポリプロピレン、ポリスチレン、ポリエチレンテレフタレート、ナイロン、セロハン、ナイロン、セロハン、ポリ乳酸の単層もしくはこれらとポリエチレンまたはエチレンー酢酸ビニル共重合体との多層フィルムとポリエチレンの単層フィルムの何れかであることが良い。フィルムが透明であり、さらには防曇性があり価格も手ごろなためである。防曇剤の種類としては、例えば、グリセリン脂肪酸エステル、ポリグリセリン脂肪酸エステル、ソルビタン脂肪酸エステルなど食品衛生上問題なければどんなものでも良いが、マスターバッチしたとき、また塗布したときに透明性を損なわない、またすべり性が良ければ構わない。
また、天然性抗菌剤のキトサン、アリルイソチオシアネート、ヒノキチオール、リモネンなどを配合しても、包装体内に同封しても良い。
【００１９】
本発明による包装袋の形状は、例えば、図１、２、３の様であり、これに限定されるわけではない。図１及び２は角が曲線であり、図３は直線である。また、底の部分がガゼット状になっていても良い。曲線は、キレイな弧でなく少し歪んでいても構わないし、図３では切除した部分の形が２等辺三角形でなくとも良い。製袋方法としては、いったん四角い袋を製作した後、後工程でカットしても良いし、１工程で完成形にしてもよい。見栄えがキレイで所定の割合を切除してあれば何ら問題はない。
【００２０】
本発明による包装袋に青果物を収納し、その後開口部を閉じることによって青果物の包装体となる。青果物を収納後、開口部を閉じる方法としては、シール方法としてヒートシール、かしめる方法としてバッグシール、輪ゴム、粘着テープ、クリップ等があり、特に限定されない。また、開口部にジッパーを付けても構わない。これらのシール、かしめる方法を２つ以上組合わせても、包装された青果物が包装体から脱落せず酸素濃度を一定に保つことが出来れば何ら問題ない。袋の製袋には溶断シールでもベタシールなど何でも良い。溶断シールの方が見栄えが良く、シール強度も強くなる。
【００２１】
本発明の包装袋及び包装体に用いられる青果物は特に限定されず、例えば、ほうれんそう、小松菜、パセリ、ニンジン、ブロッコリー、カリフラワー、アスパラガス、バナナ、いちじく、みかん、マイタケ、シイタケ、カット野菜、もやし等に用いることができ、特に、ブロッコリー、カリフラワーなど頭頂部が曲線になっている青果物が本発明には好ましい。また、見栄えの点より頭頂部を開口部と反対になるように包装した方が好ましい。
ヘッドスペースの測定方法としては、青果物を入れた包装体を水を一杯に溜めた水槽に入れ、溢れた水の体積から、青果物の重量を比重１として差し引いた。
【００２２】
【実施例】
《実施例１》
素材が市販されている防曇処理された２５μｍの延伸ポリプロピレンであり、包装袋の元の形状が、２４０×２９０ｍｍの四角い溶断袋（表面積：１３９２００ｍｍ２）を図１の様に半径１２０ｍｍの半円状に溶断カットした包装体を作成した（表面積：１２６８１６ｍｍ２）。この袋にブロッコリー４００ｇを入れ、軽く空気を押出しながら開口部をヒートシールした。この時のヘッドスペースは６００ｃｍ３であった。
【００２３】
《実施例２》
２４０×２９０ｍｍの四角い溶断袋を図２の様に半径８０ｍｍの曲線で溶断カットした（表面積は１３３６９６ｍｍ２）。軽く空気を押出しながら開口部をヒートシールした。この時のヘッドスペースは８００ｃｍ３であった。
《実施例３》
２４０×２９０ｍｍの四角い溶断袋を実施例１と包装体の元の形状が同一であり、図３の様に横１２０ｍｍ、縦７０ｍｍの三角形で溶断カットした（表面積は１２２４００ｍｍ２）。同様にブロッコリー４００ｇを入れ、軽く空気を押出しながら開口部をヒートシールした。この時のヘッドスペースは６００ｃｍ３であった。
《実施例４》
２４０×２９０ｍｍの四角い溶断袋を図４の様に一方の角を溶断カットした（表面積は１２７１００ｍｍ２）。ブロッコリー４００ｇの頭頂部がカットした部分になるように入れ、軽く空気を押出しながら開口部を７２０度ひねって粘着テープで留めた。この時のヘッドスペースは４００ｃｍ３であった。
【００２４】
《実施例５》
実施例１と包装袋の元の形状が同一であり、図３の様に両角を横１２０ｍｍ、縦１８０ｍｍの三角形で溶断カットした（表面積は９６０００ｍｍ２）。４００ｇのブロッコリーを入れようとしたが、非常に入れにくかった。無理に入れ開口部をヒートシールしたが、陳列時の見栄えはほぼ問題なかったが、作業性は非常に悪かった。この時の両角の切除率は３１％であり、ヘッドスペースは３００ｃｍ３であり、ヘッドスペースは７３％減であった。
【００２５】
《比較例１》
２４０×２９０ｍｍの四角い溶断袋に、ブロッコリー４００ｇを入れ、軽く空気を押出しながら開口部をヒートシールした（表面積は１３９２００ｍｍ２）。ヘッドスペースは１１００ｃｍ３であった。
【００２６】
実施例１〜５及び比較例１について、陳列時の見栄え及びダンボール箱（内寸法；長さ４２０×幅３４０×高さ２４０ｍｍ）に縦に幾つ詰められたかの評価結果を表１に示す。
【００２７】
【表１】
2004269034.tif 000003
【００２８】
《実施例６》
素材が市販されている防曇処理された２５μｍの延伸ポリプロピレンであり、包装袋の元の形状が、２４０×２９０ｍｍの四角い溶断袋（表面積：１３９２００ｍｍ２）を図１の様に半径１２０ｍｍの半円状に溶断カットした包装体を作成した（表面積：１２６８１６ｍｍ２）。この袋に開孔面積２．８×１０−９ｍ２の穴を３２個設けた（酸素透過量：４６００ｃｃ／ｂａｇ・ｄａｙ・ａｔｍ）。この袋にブロッコリー４００ｇを入れ、軽く空気を押出しながら開口部をヒートシールした。この時のヘッドスペースは６００ｃｍ３であった。（２４０×２９０ｍｍの四角い袋を同様に包装したときのヘッドスペースは１１００ｃｍ３であった。）１５℃で保存したときの１２時間後、４８時間後の酸素濃度、鮮度状況、陳列時の見栄えの結果を表２に示す。四角い袋に比べ切除された面積は８．９％であり、ヘッドスペースは４５％減であった。
【００２９】
《実施例７》
実施例６と同様の包装袋に４００ｇのブロッコリーを入れ、開口部を７２０度ねじって粘着テープで留めた。この時のヘッドスペースは４５０ｃｍ３であった。評価結果を表２に示す。
【００３０】
《実施例８》
素材が市販されている３０μｍの防曇処理された低密度ポリエチレンで２４０×２９０ｍｍの四角い溶断袋の両角を図２の様に半径８０ｍｍの曲線で溶断カットした（表面積は１３３６９６ｍｍ２）。この袋に開孔面積７．１×１０−１０ｍ２の穴を３０個設けた（酸素透過量：２６００ｃｃ／ｂａｇ・ｄａｙ・ａｔｍ）。４００ｇのブロッコリーを入れ軽く空気を押出しながらヒートシールした。この時のヘッドスペースは、８００ｃｍ３であった。結果結果を表２に示す。
【００３１】
《実施例９》
実施例１と同様の包装袋を図３の様に両角を横１２０ｍｍ、縦７０ｍｍの三角形で溶断カットした（表面積は１２２４００ｍｍ２）。この袋に開孔面積２．８×１０−７ｍ２の穴を２個設けた（２８０００／ｂａｇ・ｄａｙ・ａｔｍ）。４００ｇのブロッコリーを入れ軽く空気を押出しながらヒートシールした。この時のヘッドスペースは、６００ｃｍ３であった。結果を表２に示す。
【００３２】
《比較例２》
素材が市販されている防曇処理された２５μｍの延伸ポリプロピレンであり、２４０×２９０ｍｍの四角い溶断袋（表面積：１３９２００ｍｍ２）。この袋に開孔面積６．４×１０−９ｍ２の穴を３２個設けた（酸素透過量：９６００ｃｃ／ｂａｇ・ｄａｙ・ａｔｍ）。この袋にブロッコリー４００ｇを入れ、軽く空気を押出しながら開口部をヒートシールした。この時のヘッドスペースは１１００ｃｍ３であった。結果を表３に示す。
【００３３】
《比較例３》
比較例２と同様の四角い溶断袋に同様の穴を同数設けた。この袋にブロッコリー４００ｇを入れ、軽く空気を押出しながら開口部を７２０度ねじって粘着テープで留めた。この時のヘッドスペースは７００ｃｍ３であった。結果を表３に示す。
【００３４】
《実施例１０》
実施例６と同様の曲線の溶断袋に開孔面積７．９×１０−１１ｍ２の穴を４００個設けた（酸素透過量：２１００ｃｃ／ｂａｇ・ｄａｙ・ａｔｍ）。この袋にブロッコリー４００ｇを入れ、軽く空気を押出しながら開口部をヒートシールした。この時のヘッドスペースは６００ｃｍ３であった。結果を表３に示す。
【００３５】
《実施例１１》
実施例６と同様の曲線の溶断袋に開孔面積３．３×１０−５ｍ２の穴を１個設けた（酸素透過量は３２００００ｃｃ／ｂａｇ・ｄａｙ・ａｔｍ）。この袋にブロッコリー４００ｇを入れ、軽く空気を押出しながら開口部をヒートシールした。この時のヘッドスペースは６００ｃｍ３であった。結果を表３に示す。
【００３６】
《実施例１２》
実施例６と同様の曲線の溶断袋に開孔面積９．５×１０−７ｍ２の穴を１個設けた（酸素透過量は３８０００ｃｃ／ｂａｇ・ｄａｙ・ａｔｍ）。この袋にブロッコリー４００ｇを入れ、軽く空気を押出しながら開口部をヒートシールした。この時のヘッドスペースは６００ｃｍ３であった。結果を表３に示す。
【００３７】
《実施例１３》
実施例１と同様の曲線の溶断袋に開孔面積２．８×１０−９ｍ２の穴を３２個設けた。この袋にブロッコリー４００ｇを入れ、空気をポンプで抜き取って開口部をヒートシールした。ブロッコリーにフィルムが完全に密着していた。この時のヘッドスペースは１５０ｃｍ３であった。結果を表３に示す。
【００３８】
《実施例１４》
素材が延伸ポリプロピレン３０μｍと防曇剤が練りこまれたポリエチレン２０μｍの市販のラミネートフィルムでポリエチレン側を内側にして２６０×２２０ｍｍの四角い袋を図２の様に両角を半径１００ｍｍの曲線で溶断カットした包装体を作成した（表面積：１０５８００ｍｍ２）。開孔面積７．９×１０−９ｍ２の孔を４０個設けた（酸素透過量：７７００ｃｃ／ｂａｇ・ｄａｙ・ａｔｍ）。この袋にカリフラワー４００ｇを入れ、軽く空気を押出しながら開口部をヒートシールした。この時のヘッドスペースは４５０ｃｍ３であった。１５℃で保存したときの６時間後、１２時間後の酸素濃度、鮮度状況、陳列時の見栄えの結果を表４に示す。
【００３９】
《実施例１５》
素材が市販されている防曇処理された２５μｍの延伸ポリプロピレンであり、１００×３２０ｍｍの四角い袋を図３の様に横２０ｍｍ、縦１００の三角形に溶断カットした包装体を作成した（表面積：６００００ｍｍ２）。開孔面積３．８×１０−９ｍ２の孔を３０個設けた（酸素透過量：５７００ｃｃ／ｂａｇ・ｄａｙ・ａｔｍ）。この袋にアスパラガス１００ｇを入れ、軽く空気を押出しながら開口部をヒートシールした。この時のヘッドスペースは３００ｃｍ３であった。１５℃で保存したときの６時間後、１２時間後の酸素濃度、鮮度状況、陳列時の見栄えの結果を表４に示す。
【００４０】
《実施例１６》
素材が市販されている防曇処理された２５μｍの延伸ポリプロピレンであり、２５０×３６０ｍｍの四角い溶断カットした袋を図３の様に両角を横５０ｍｍ、縦１００ｍｍの三角形で溶断カットした包装体を作成した（表面積：１７００００ｍｍ２）。開孔面積２．８×１０−９ｍ２の孔を２５個設けた。この袋にバナナ７００ｇ（５本）を入れ、軽く空気を押出しながら開口部をヒートシールした。この時のヘッドスペースは１３００ｃｍ３であった。２０℃で保存したときの６時間後、１２時間後の酸素濃度、鮮度状況、陳列時の見栄えの結果を表４に示す。
【００４１】
【表２】
2004269034.tif 000004
【００４２】
【表３】
2004269034.tif 000005
【００４３】
【表４】
2004269034.tif 000006
【００４４】
【発明の効果】
本発明の包装袋は、角を切除することによって包装袋のヘッドスペースが減少しており、本包装袋を用いて包装された青果物は、陳列時の見栄えが優れており、輸送時において効率良く輸送できる包装袋及びその袋を用いた包装体である。更には、萎れ、変色、軟腐、異臭などが発生せず、青果物の鮮度をより長く保持できる包装袋及びその袋を用いた包装体である。
【図面の簡単な説明】
【図１】本発明の包装袋で、両角を丸く切断した形状。
【図２】本発明の包装袋で、両角を丸く切断し、切断箇所の間に直線を残した形状。
【図３】本発明の包装袋で、両角を直線で切断し、切断箇所の間に直線を残した形状。
【図４】本発明の包装袋で、一つの角を直線で切断した形状。
【符号の説明】
１：開口部
【図１】
2004269034.tif 000007
【図２】
2004269034.tif 000008
【図３】
2004269034.tif 000009
【図４】
2004269034.tif 000010